(57)【要約】【課題】文章による説明では、その風景を想像できないことがよくあり、もどかしく感じてしまうこと。【解決手段】「かつてそこで撮った映像」であって、うつろいやすい人の記憶の中にぼんやりと残っている「いつか見た風景」を再生した再生映像の構図、または「かつてそこにあった風景」を再現した再現映像の構図と利用者３が眺める風景の構図が一致するように、再生映像情報の撮影場所または再現映像情報の再現場所における利用者３の立ち位置を指定する立ち位置情報とその立ち位置において風景に浸る方向を指定する向き情報とによって構成される誘導情報を利用者端末４に出力することで、利用者３を「そこ」へ導く。さらに利用者端末４は、利用者３が立ち位置に立って、風景に浸る方向を向いた動作を完了したことを示す動作完了の入力を受け付けたことを確認して、映像情報を表示部に出力する。【選択図】　　図１
2004070782.tif 000002
【特許請求の範囲】
【請求項１】
利用者を風景に浸れる場所に導いて、かつてその場所で撮影した映像を再生した再生映像情報をいつか見た風景として、またはかつてその場所にあった風景を再現した再生映像情報をかつてそこにあった風景として、該利用者の有する利用者端末に提供する風景情報提供システムであって、
前記映像情報における映像の構図と前記利用者が眺める風景の構図が一致するように、前記再生映像情報の撮影場所または前記再現映像情報の再現場所を前記風景に浸れる場所として該風景に浸れる場所における利用者の立ち位置を指定する立ち位置情報と該立ち位置において風景に浸る方向を指定する向き情報とによって構成される誘導情報を、前記映像情報にあらかじめ付与して記憶する風景情報データベースと、
前記利用者端末から、該利用者端末を返信先として示す返信先情報とともに前記映像情報の取得を要求する要求信号を受信する情報受信手段と、
前記情報受信手段が受信した前記要求信号に基づいて前記風景情報データベースを検索し、付与された誘導情報とともに前記要求信号に応じた前記風景情報を取得する情報取得手段と、
前記情報取得手段が取得した前記映像情報に、前記利用者端末への指示として、前記利用者が前記立ち位置に立って前記風景に浸る方向を向いた動作を完了したことを示す動作完了入力信号を前記利用者端末の入力部より受け付けた場合に前記映像情報を出力部に出力するように指示する指示情報を付与する指示情報付与手段と、
前記指示情報付与手段によって付与された指示情報とともに、前記情報取得手段が取得した前記映像情報を前記返信先情報に基づいて前記利用者端末に送信する送信手段と
を有することを特徴とする風景情報提供システム。
【請求項２】
前記要求信号に前記利用者が向かう目的地に関する目的地情報を含む場合には、前記情報取得手段は、該目的地情報に基づいて前記風景情報データベースを検索することを特徴とする請求項１に記載の風景情報提供システム。
【請求項３】
前記映像情報には映像の出所を示す出所情報があらかじめ付与されており、
前記要求信号に前記利用者が指定したキーワードを含む場合には、前記情報取得手段は、該キーワードに関連する前記出所情報に基づいて前記風景情報データベースを検索することを特徴とする請求項１に記載の風景情報提供システム。
【請求項４】
前記利用者からの入力を受け付ける入力手段と、
前記利用者に対して情報を出力する出力手段を有する利用者端末であって、
前記入力部から受け付けた前記映像情報の取得要求に、該利用者端末のネットワーク上のアドレスを返信先として付与して、請求項１〜３に記載の風景情報提供システムに送信する情報送信手段と、
前記情報送信手段によって送信された取得要求に応じた前記風景情報提供システムから、前記誘導情報を付与された前記映像情報を前記指示情報とともに受信する情報受信手段と、
前記出力手段は、前記情報受信手段が受信した前記誘導情報を出力し、かつ前記指示情報に基づいて、前記利用者が前記立ち位置に立って前記風景に浸る方向を向いた動作を完了したことを示す動作完了入力信号を前記入力手段に受け付けたら、前記映像情報を出力することを特徴とする利用者端末。
【請求項５】
利用者を風景に浸れる場所に導いて、かつてその場所で撮影した映像を再生した再生映像情報をいつか見た風景として、またはかつてその場所にあった風景を再現した再生映像情報をかつてそこにあった風景として、該利用者の有する利用者端末に提供する風景情報提供方法であって、
前記映像情報における映像の構図と前記利用者が眺める風景の構図が一致するように、前記再生映像情報の撮影場所または前記再現映像情報の再現場所を前記風景に浸れる場所として該風景に浸れる場所における利用者の立ち位置を指定する立ち位置情報と該立ち位置において風景に浸る方向を指定する向き情報とによって構成される誘導情報を、前記映像情報にあらかじめ付与し、
前記誘導情報が付与された前記映像情報を風景情報データベースに記憶して、
前記利用者端末から、該利用者端末を返信先として示す返信先情報とともに前記映像情報の取得を要求する要求信号を情報受信手段に受信すると、
前記情報受信手段が受信した前記要求信号に基づいて前記風景情報データベースを検索し、付与された誘導情報とともに前記要求信号に応じた前記映像情報を取得し、
付与された誘導情報とともに取得した前記映像情報を、前記返信先情報に基づいて前記利用端末に送信して、
前記風景情報を受信した前記利用者端末は、受信した前記誘導情報を出力手段に出力し、
前記利用者が前記立ち位置に立って前記風景に浸る方向を向いた動作を完了したことを示す動作完了入力信号を入力手段から受け付けたら、前記映像情報を前記出力手段に出力することを特徴とする風景情報提供方法。
【発明の詳細な説明】
【０００１】
【発明の属する技術分野】
本発明は、情報提供、特に情報提供を受けた利用者が風景に浸るための情報を提供する風景情報提供システム及び方法に関する。
【０００２】
【従来の技術】
観光地で再生画像を出力するシステムとして、特開１９９７−０９６７６５号公報が挙げられる。この先行技術では、風景を眺めるための双眼鏡を向けた方向の風景が悪天候などの理由によって、よく見えなかった場合には、あらかじめデータベースに記憶しておいた好天候時の風景画像を再生して利用者に見てもらうようにしている。好天候時以外の画像にも、他の時刻や他の季節における風景も見ることが出来るように配慮されている。
【０００３】
【特許文献１】
特開１９９７−０９６７６５号公報（第３頁、第４図）
【０００４】
【発明が解決しようとする課題】
その土地を訪れる楽しみのひとつに、風景を眺めることによってその雰囲気に浸ることが挙げられる。この雰囲気は写真や映像ではなかなか味わえないものであって、その雰囲気の中に浸ることで人は想いをめぐらすことが出来る。
【０００５】
ところが、これまでの観光情報とは、観光スポットという場所に関する単なる説明でしかなかった。それは例えば「ここはどういう場所であるのか」、「ここで以前こういうこと（出来事）があった」などの文章による説明であり、簡単なイラストが添えられていることもある。
【０００６】
つまり、このような文章による説明では、その風景（光景とも言う）を想像できないことがよくあり、人は自らに与えられた情報からうまく想像できない時には、何かもどかしさが残るものである。さっぱりわからないものであれば、それほど気にせずに忘れることも出来るが、このもどかしさはわかりそうでわからないようなモヤモヤしたものなので、いつまでもすっきりすることが出来ずにじれったく感じてしまうという問題点があった。
【０００７】
なお、観光スポットに関する情報が看板に書かれている場合でも、利用者が持つ利用者端末へ送信される場合でも、問題の本質としては何ら変わりがない。
【０００８】
【課題を解決するための手段】
本発明の本質は、「かつてそこで撮った映像」であって、うつろいやすい人の記憶の中にぼんやりと残っている「いつか見た風景」を再生した再生映像、または「かつてそこにあった風景」を再現した再現映像を「そこ」へ導いた利用者に提供することである。利用者はそこで再生・再現映像を見ながら風景を眺めることによって、「いつか見た風景」または「かつてそこにあった風景」に想いをめぐらすことが出来る。
【０００９】
本発明は、利用者を風景に浸れる場所に導いて、かつてその場所で撮影した映像を再生した再生映像情報をいつか見た風景として、またはかつてその場所にあった風景を再現した再生映像情報をかつてそこにあった風景として、該利用者の有する利用者端末に提供するために、前記映像情報における映像の構図と前記利用者が眺める風景の構図が一致するように、前記再生映像情報の撮影場所または前記再現映像情報の再現場所を前記風景に浸れる場所として該風景に浸れる場所における利用者の立ち位置を指定する立ち位置情報と該立ち位置において風景に浸る方向を指定する向き情報とによって構成される誘導情報を、前記映像情報にあらかじめ付与し、前記誘導情報が付与された前記映像情報を風景情報データベースに記憶して、前記利用者端末から、該利用者端末を返信先として示す返信先情報とともに前記映像情報の取得を要求する要求信号を情報受信手段に受信すると、前記情報受信手段が受信した前記要求信号に基づいて前記風景情報データベースを検索し、付与された誘導情報とともに前記要求信号に応じた前記映像情報を取得し、付与された誘導情報とともに取得した前記映像情報を、前記返信先情報に基づいて前記利用端末に送信して、前記風景情報を受信した前記利用者端末は、受信した前記誘導情報を出力手段に出力し、前記利用者が前記立ち位置に立って前記風景に浸る方向を向いた動作を完了したことを示す動作完了入力信号を入力手段から受け付けたら、前記映像情報を前記出力手段に出力するようにした。
【００１０】
また、利用者端末への指示として、利用者が立ち位置に立って風景に浸る方向を向いた動作を完了したことを示す動作完了入力信号を利用者端末の入力部より受け付けた場合に映像情報を出力部に出力するように指示する指示情報を、風景情報データベースから取得した映像情報に付与しておいてもよい。
【００１１】
なお、利用者が立ち位置に立って風景に浸る方向を向いた動作の完了について厳密に計測する必要はなく、あくまで利用者の主観的判断に委ねればよい。具体的には、利用者端末は「準備が出来たら（動作が完了したらと同意）、スイッチを押して下さい」などの表示を出力して、出力に応じた入力を受け付けたら、利用者が立ち位置に立って風景に浸る方向を向いた動作を完了したと見なして、映像情報を出力すればよい。
【００１２】
また、誘導情報には、風景に浸れる場所に利用者を導くためのルート情報が含まれていてもよい。ルート情報を用いると、利用者にとって風景に浸れる場所がわかりにくい場合であっても、よりスムーズに導くことが出来る。
【００１３】
利用者にとって「いつか見た風景」とは、かつてそこで撮影した風景のことであり、メディア（例えばテレビや映画などの映像媒体）を通じて間接的に見たことがある風景である。利用者が撮影映像の細部まで覚えていることは稀で、ぼんやりとその雰囲気や印象を覚えているに過ぎない。つまり、どこかで見た気がするがはっきりしなかったり、頭の中になんとなくは浮かぶもののはっきり思い出せなかったりすることが「もどかしさ」になってしまうのである。
【００１４】
また、「かつてそこにあった風景」とは、そこに実在した（または、実在したであろう）建築物や、そこであった（または、あったろう）出来事のことであり、利用者自身が見たことがない風景であることが多く、単にイラストや映像だけが目の前にあってもこれまでに得た知識と想像力では目の前の風景に重ね合わせにくいものであった。つまり、想像では実際の風景と重ね合わせても何かしっくりこない違和感のような「もどかしさ」が残ってしまうのである。
【００１５】
これらの「もどかしさ」を解消するために利用者を風景に浸る場所における立ち位置まで誘導して、かつ利用者を風景に浸る方向に向かせた上で、再生・再現映像を出力するようにした。つまり、風景に浸る場所における立ち位置まで誘導して、かつ利用者を風景に浸る方向に向かせることは、利用者に再生・再現映像と同じ構図で、目の前の風景を眺めさせることが出来る。
【００１６】
利用者を風景に浸る場所における立ち位置まで誘導して、かつ利用者を風景に浸る方向に向かせることが、風景を眺めるに際してどれだけ重要であるかを実際の風景の具体例を示す図２２と図２３に基づいて説明する。
【００１７】
図２２は「石段を６段のぼって、右端に」で指定される立ち位置情報と「（立ち位置に）しゃがみ、階段を見上げてみる」で指定された向き情報で構成される誘導情報に従って眺めた風景の具体例である。対して、図２３は図２２と立ち位置と向きが異なったために全く違う印象になってしまった風景の具体例である。図２３の中で示す矢印が図２２の立ち位置であり、距離にしてわずか１０ｍ程度に過ぎない。このわずかの差であるにも関わらず、浸れる風景に出会えるか出会えないかを決定的に分けるものが、利用者に映像情報と同じ構図で風景を眺めさせるための誘導情報なのである。
【００１８】
より具体的には、かつてそこで撮った映像では、カメラなどの撮像装置を置いた場所と撮像装置を向けた方向（アングル）が重要であり、この２つの要素で映像の構図が決まる。この構図と同じように実際の風景を見られるかどうかが実は重要で、撮像装置を置いた場所に相当する「立ち位置」で、撮像装置を向けた方向に相当する「向き」で見られなければ、なんだか違う風景であるかのように見えてしまい、「あー、これ、これ、これなんだよ。いつか見たのは」などと思えるような実感が得られない。ただし、厳密に撮像装置が置かれた場所に立たなければならないこともなく、撮像された風景と撮像装置が置かれた場所を結ぶライン上であって、再生映像の枠内に映る構成物が、ある程度視野に入る立ち位置であれば、人の目が風景の端部を補ってくれるので問題ない。
【００１９】
また、かつてそこにあった風景を再現した再現映像では、同様にどこからどちらの方向を再現したのかが重要であり、かつてそこで撮った映像ほど制約があるわけでもないが、「あー、ここにかつてこんなものがあったのかぁ（こんなことがあったのかぁ）」と思える実感を利用者に与えるためには、再現映像のどこからどちらの方向を再現したのかに合わせ、利用者に対して立ち位置と向きを指定しなければ、利用者はうまく風景に浸って想いをめぐらせることは出来ない。
【００２０】
かつてそこにあった風景を再現した再現映像では、かつてそこで撮った映像ほど制約がないことを利用して、風景情報で指定する立ち位置は周囲のジャマにならない場所を指定するとよい。
【００２１】
また、前記要求信号に前記利用者が向かう目的地に関する目的地情報を含む場合には、該目的地情報に基づいて前記風景情報データベースを検索するようにしてもよい。
【００２２】
目的地は利用者自身が利用者端末を介して入力する場合以外にも、利用者が通過したパスゲートから目的地が取得できた場合にはパスゲートから取得した目的地を検索に用いてもよい。ここで言うところのパスゲートとは、人とシステムとの接点であり、例えば利用者を検知、または利用者検知媒体や利用者端末を検知して、その検知情報を風景情報提供システムに送信するものである。なお、目的地が取得できるパスゲートには、利用者が移動に用いる移動手段の利用開始または利用終了を示すパスゲートがある。利用者が移動に用いる移動手段とは、例えば電車、バスなどの公共交通機関や自家用車などのことであり、構内への入退出を管理する自動改札、移動車両への乗車・降車を検知する装置、自家用車のエンジン停止を検知する装置やカーナビゲーションシステムがパスゲートに相当する。具体的に、移動手段の利用開始を示すパスゲートとは、例えば乗車券に記された行き先を取得することによって、取得した行き先を目的地とする自動改札や移動車両の乗車口、および行き先指定されたカーナビゲーションシステムなどのことである。また、移動手段の利用開始を示すパスゲートで目的地が取得できなかった場合には、移動終了を示すパスゲートの位置を目的地周辺とするとよい。具体的に、移動手段に利用終了を示すパスゲートとは、例えば乗車券を回収した自動改札や移動車両の降車口、およびエンジン停止を検知した自家用車などのことである。
【００２３】
移動手段を用いて目的地まで移動する利用者は、必然的に目的地までの到着時間がかかるので、この時間を利用者は想いをめぐらすひとときに活用することが出来る。このようにゆったりと想いをめぐらす時間を持つことは、実際に風景に出会った際に利用者がより浸ることの出来る演出となっていく。
【００２４】
また、前記映像情報には映像の出所を示す出所情報があらかじめ付与されており、前記要求信号に前記利用者が指定したキーワードを含む場合には、該キーワードに関連する前記出所情報に基づいて前記風景情報データベースを検索するようにしてもよい。
【００２５】
例えば再生映像がドラマや映画などであった場合に、そのゆかりの地を訪れてみたいという利用者側の要望がある。その際に利用者が指定するキーワードはドラマや映画の名称の他に、出演者や監督などの作成者、印象的なシーンなどである。例えば「あのドラマ（映画）のゆかりの地に行きたい」、「あの出演者が出ていた作品（あの監督が撮影した作品）のゆかりの地に行きたい」などの利用者の要望に応えることが出来る。また、印象的なシーンの指定は「ドラマや映画の名称とどの出演者が（どの出演者と）どうした」のように具体的にされる場合に以外にも、利用者のあいまいな記憶に影響されることも多く、利用者が利用者端末を介して入力した情報からキーワード抽出して、映像情報に付与された出所情報に基づいて風景情報データベースを検索する。
【００２６】
利用者のあいまいな記憶では映像情報が確定しきらないことも多いので、そのような場合には、最も利用者の指定に近いであろう映像情報をサンプルとして利用者端末に送信（ひとつに限らず、複数個の場合あり）し、利用者に確認してもらうことも映像情報の検索には有効である。
【００２７】
【発明の実施の形態】
以下に、本発明に係る風景情報提供システムの具体的実施の形態を図面を参照して詳細に説明する。
【００２８】
図１は、本発明の実施形態におけるコンセプトを説明するブロック図である。
【００２９】
同図において、風景情報提供システム１は、利用者３の有する利用者端末４に誘導情報が付与された映像情報を送信する。利用者端末４の出力部に出力された誘導情報に含まれる立ち位置情報と向き情報によって、利用者３は風景に浸る場所における立ち位置に立ち、風景に浸る方向を向くように誘導される。誘導情報には、風景に浸れる場所における利用者３の立ち位置に利用者３を導くためのルート情報が含まれていてもよい。ルート情報を用いると、利用者３にとって風景に浸れる場所がわかりにくい場合であっても、よりスムーズに利用者３を導くことが出来る。
【００３０】
立ち位置に立ち、風景に浸る方向を向いた動作を完了させた利用者３が、その動作完了を示す入力を利用者端末４に対して入力すると、かつてその場所で撮影した映像を再生した再生映像情報がいつか見た風景として、またはかつてその場所にあった（あったであろう）風景を再現した再生映像情報がかつてそこにあった風景として、利用者端末４の表示画面に出力される。
【００３１】
誘導情報によって、利用者端末４に出力される再生・再現映像の構図と同じ構図で目の前の風景を見ることが出来た利用者３は、何かしっくりこないような違和感なく、風景に浸ることが出来る。より具体的には、再生映像とともに再生映像と同じ構図で風景を眺めた利用者３は「あー、これ、これ、これなんだよ。いつか見たのは」などの実感を感じることができ、同様に再現映像とともに再現映像と同じ構図で風景を眺めた利用者３は「あー、ここにかつてこんなものがあったのかぁ（こんなことがあったのかぁ）」などの実感を感じることが出来る。このように感じる実感によって、利用者３は目の前の風景とその雰囲気にうまく浸ることができ、想いをめぐらすひとときを得ることが出来る。
【００３２】
図２は、本発明の実施形態におけるシステム全体図を説明するブロック図である。
【００３３】
同図において、風景情報提供システムサーバ５は、コンテンツ作成者７がコンテンツ作成者端末８を用いて作成する誘導情報を映像情報に付与して風景情報ＤＢ（データベース）２に記憶する。利用者３は利用者端末４を用いて、映像情報を風景情報提供システムサーバ５から取得する。コンテンツ作成者７とは、映像情報に付与する誘導情報の作成や、場合よっては映像情報自体に選別加工などを実行する役割を担う人のことである。
【００３４】
図３は、本発明の実施形態における風景情報提供システムサーバのハードブロック図である。
【００３５】
同図において、サーバ操作者９とは風景情報提供システムサーバ５の操作者で、サーバの管理（運営、監視、維持などを含む）者のことである。ＨＭ（ヒューマンマシン）入出力部１０とは、風景情報提供システムサーバ５がサーバ操作者９と種々のやりとりをするための入出力機能を持つ部位である。入力装置としては、例えばキーボード、テンキー、マウス、バーコードリーダなどが該当し、サーバ操作者９の入力がシステムに対して情報を伝達するものなら、その種類は問わない。また出力装置としては、例えばディスプレイ、プリンタなどが該当し、サーバ操作者９に対してシステムから情報を伝達できるものなら、その種類は問わない。演算部１１とは、プログラムを実行することによって各機能を駆動、処理するための演算機能を持つ部位であり、一般にＣＰＵ（中央演算装置）で構成される。メモリ部１２とは、演算部１１が実行するプログラムの実行エリアの部位である。通信部１３とは、ネットワーク６を介して外部機器との通信を制御する部位である。ネットワーク認証部１４とは、ネットワーク６や外部機器との認証機能を持つ部位である。ＤＢ管理部１５とは、様々なデータ構造とデータ実体を管理する機能を持つ部位である。ＤＢ管理部１５に管理される処理プログラム１６とは、風景情報提供システムサーバ５の利用目的を達成するために必要なプログラムのことであり、ＯＳ（オペレーションシステム）もここに含まれる。同様に風景情報ＤＢ２とは、誘導情報が付与された再生・再現映像情報を記憶するデータベースのことである。同様に作成者用プログラムとは、コンテンツ作成者７がコンテンツ作成者端末８で誘導情報などの作成の際に実行するプログラムやそれに付随してサーバが提供する作成基準や事例などのデータを記憶するデータベースのことである。同様にその他のプログラム・データ１８は、上記以外の例えばサーバ操作者９が使用するワードプロセッサや表計算プログラムなどのアプリケーションソフトウェアやそれらに付随するデータなどが該当する。
【００３６】
図４は、本発明の実施形態における利用者端末のハードブロック図である。
【００３７】
同図において、ＨＭ入出力部１９とは、利用者端末４が利用者３と種々のやりとりをするための入出力機能を持つ部位である。入力装置としては、例えばテンキーやカナキー、タッチスイッチ、音声入力などが該当し、利用者３の入力が利用者端末４に対して情報を伝達するものなら、その種類は問わない。また出力装置としては、例えばディスプレイ、音声出力装置などが該当し、利用者３に対して利用者端末４から情報を伝達できるものなら、その種類は問わない。メモリ部２１とは、利用者端末４の目的を達成するために必要なプログラムを記憶する記憶エリアと演算部２０が実行するプログラムの実行エリアの部位である。送受信部２２とは、ネットワーク６を介して風景情報提供システムサーバ５と情報の送受信を行う機能を持つ部位である。
【００３８】
図５は、本発明の実施形態におけるコンテンツ作成者端末のハードブロック図である。
【００３９】
同図において、ＨＭ入出力部２３とは、コンテンツ作成者端末８がコンテンツ作成者７と種々のやりとりをするための入出力機能を持つ部位である。コンテンツ作成者端末８は、図１４に示すようにコンテンツ作成者７が実際に映像情報と同じ構図を探しにいく際の便利性に配慮して、携帯端末の場合もある。
【００４０】
図６は、本発明の実施形態における風景情報提供システムサーバ及び作業者端末の機能ブロック図である。
【００４１】
同図において、風景情報提供システムサーバ５は、誘導情報を主とするコンテンツの作成に必要なプログラムとデータを作成者用プログラム１７より取得する機能と、取得したプログラムとデータをコンテンツ作成者端末８に送信する機能とを有する。再生・再現映像情報そのものや、再生・再現映像情報とする前のソース映像を誘導情報作成のためのデータとして作成者端末８に送信するとよい。誘導情報を主とするコンテンツとは、完成している映像情報に合わせて誘導情報を作成する場合だけでなく、映像情報をその元となるソース映像から作成する場合もあることを意味する。コンテンツ作成者７が、ソース映像から映像情報を作成しなければならない場合は、その指示が風景情報提供システムサーバ５から送信されるプログラムに含まれる。コンテンツ作成者端末８は、風景情報提供システムサーバ５からコンテンツ作成に必要なプログラムとデータを受信する機能と、受信したプログラムに基づいてコンテンツ作成画面をＨＭ出力部に出力する機能とを有する。さらに、コンテンツ作成者端末８は、作成画面に基づいて（場合によってはコンテンツ作成者７がソース映像を加工した映像情報の入力とともに）誘導情報の入力をＨＭ入力部より受け付ける機能と、受け付けた誘導情報を風景情報提供システムサーバ５に送信する機能とを有する。さらに、風景情報提供システムサーバ５は、コンテンツ作成者端末８から（場合によってはコンテンツ作成者７がソース映像を加工した映像情報とともに）誘導情報を受信する機能と、受信した誘導情報を映像情報に付与する（コンテンツ作成者端末８で映像情報に加工される場合には、受信した誘導情報を誘導情報とともに受信した映像情報に付与する）機能と、誘導情報を付与した映像情報を風景情報ＤＢ２に記憶する機能とを有する。
【００４２】
図７は、本発明の実施形態における利用者端末及び風景情報提供システムサーバのブロック図である。
【００４３】
同図において、利用者端末４は、利用者３がＨＭ入力部から入力した映像情報の取得要求を受け付ける機能と、メモリ部２１から利用者端末４のネットワーク通信用アドレスを取得する機能と、取得したアドレスとともに映像情報の取得要求を風景情報提供システムサーバ５に送信する機能とを有する。利用者３が入力する映像情報の取得の方法には種々の方法があり、利用者２が向かう目的地を指定する場合や、キーワードを指定する場合などがある。その内容については、課題を解決するための手段に記した。ネットワーク通信用アドレスとは、利用者端末４がネットワーク６を介して外部の機器と通信する際の利用者端末４を示す返信先として相手先に指定するためのコードのことである。風景情報提供システムサーバ５は、利用者端末４から映像情報の取得要求を受信する機能と、受信した取得要求に基づいて映像情報を映像情報に付与された誘導情報とともに風景情報ＤＢ２から取得する機能と、取得した誘導情報と映像情報を利用者端末４に送信する機能とを有する。さらに、利用者端末４は、風景情報提供システムサーバ５から誘導情報と映像情報を受信する機能と、受信した誘導情報をＨＭ出力部に出力する機能を有する。
【００４４】
図８は、本発明の実施形態における利用者端末のブロック図である。
【００４５】
同図において、利用者端末４は、立ち位置に立ち、風景に浸る方向を向いた動作を完了させた利用者３が、ＨＭ入力部からその動作完了を示す入力を受け付ける機能と、動作完了の入力に応じて風景情報提供システムサーバ５から受信した映像情報をＨＭ出力部に出力する機能とを有する。なお、利用者端末４は、利用者３が立ち位置に立って風景に浸る方向を向いた動作の完了について厳密に計測する必要はなく、あくまで利用者３の主観的判断に委ねればよい。ＨＭ入力部からその動作完了を示す入力を利用者３が立ち位置に立って風景に浸る方向を向いた動作を完了したと見なして、映像情報を出力すればよい。
【００４６】
図９は、本発明の実施形態における風景情報提供システムサーバ及び作業者端末の演算部におけるフローチャートである。
【００４７】
同図において、風景情報提供システムサーバ５は、誘導情報作成プログラム送信の指示を受け付けると（ＳＴ９０１）、誘導情報を主とするコンテンツの作成に必要なプログラムとデータを作成者用プログラム１７より取得し、取得したプログラムとデータをコンテンツ作成者端末８に送信する（ＳＴ９０２）。コンテンツ作成者端末８は、風景情報提供システムサーバ５からコンテンツ作成に必要なプログラムとデータを受信すると、受信したプログラムに基づいてコンテンツ作成画面をＨＭ出力部に出力し（ＳＴ９０３）、作成画面に基づいて（場合によってはコンテンツ作成者７がソース映像を加工した映像情報の入力とともに）誘導情報の入力をＨＭ入力部より受け付けると（ＳＴ９０４）、取得した誘導情報を風景情報提供システムサーバ５に送信して（ＳＴ９０５）、処理を終了する。風景情報提供システムサーバ５は、コンテンツ作成者端末８から（場合によってはコンテンツ作成者７がソース映像を加工した映像情報とともに）誘導情報を受信すると、受信した誘導情報を映像情報に付与（コンテンツ作成者端末８で映像情報に加工される場合には、受信した誘導情報を誘導情報とともに受信した映像情報に付与）し（ＳＴ９０６）、誘導情報を付与した映像情報を風景情報ＤＢ２に記憶して（ＳＴ９０７）、処理を終了する。
【００４８】
図１０は、本発明の実施形態における利用者端末及び風景情報提供システムサーバの演算部におけるフロ−チャートである。
【００４９】
同図において、利用者端末４は、利用者３がＨＭ入力部から入力した映像情報の取得要求を受け付けると（ＳＴ１００１）、メモリ部２１から利用者端末４のネットワーク通信用アドレスを取得し、取得したアドレスとともに映像情報の取得要求を風景情報提供システムサーバ５に送信する（ＳＴ１００２）。風景情報提供システムサーバ５は、利用者端末４から映像情報の取得要求を受信すると、受信した取得要求に基づいて映像情報を映像情報に付与された誘導情報とともに風景情報ＤＢ２から取得し（ＳＴ１００３）、取得した誘導情報と映像情報を利用者端末４に送信して（ＳＴ１００４）、処理を終了する。利用者端末４は、風景情報提供システムサーバ５から誘導情報と映像情報を受信すると、受信した誘導情報をＨＭ出力部に出力して（ＳＴ１００５）、処理を終了する。
【００５０】
図１１は、本発明の実施形態における利用者端末の演算部におけるフローチャートである。
【００５１】
同図において、利用者端末４は、立ち位置に立ち、風景に浸る方向を向いた動作を完了させた利用者３が、ＨＭ入力部からその動作完了を示す入力を受け付けると（ＳＴ１１０１）、動作完了の入力に応じて風景情報提供システムサーバ５から受信した映像情報をＨＭ出力部に出力して（ＳＴ１１０２）、処理を終了する。
【００５２】
図１２は、本発明の実施形態におけるコンテンツ作成者が行う作業を説明するブロック図である。
【００５３】
同図において、ドラマ・映画の印象的なシーンまたはＣＭ（コマーシャルメッセージ。テレビなどの商業放送で番組の合間に行う広告のこと）を「いつか見た風景」としてかつてその場所で撮影した映像を再生した再生映像情報、あるいは「かつてそこにあった風景」としてかつてその場所にあった（あったであろう）風景をＣＧ（コンピュータグラフィックス。コンピュータを利用して作成した画像や動画のこと）、アニメーション（一連の絵などを一コマごとに撮影し、連続映写して動きを与える技法）や実写映像（当時の服装に身を包んだ役者の演技を撮影した映像）で再現した再生映像情報に基づいて、コンテンツ作成者７は誘導情報を文字で表現して作成する。場合によっては、例えば再生映像の元となるドラマや映画の映像から印象的なシーンを切り出して再生映像にするように、再生・再現映像の作成からコンテンツ作成者７の役割で担うこともある。
【００５４】
より具体的には、映像情報がコンテンツ作成者７に提供され、同時に与えられた作成ガイドや他の誘導情報の事例を参考にして、コンテンツ作成者７が文章で誘導情報を表現する。作成ガイドには、例えばチェック項目が箇条書きとなったチェックリストが付与されていてもよく、このチェックリストの項目をコンテンツ作成者７がチェックするなどのシステム上の工夫は、風景情報提供システム１が提供する映像情報に付与された誘導情報の品質を一定レベル以上に維持することに寄与する。コンテンツ作成者７によって作成された誘導情報は、コンテンツ作成者端末８を介して風景情報提供システムサーバ５に送信され、風景情報ＤＢ２に記憶される。
【００５５】
図１３は、図１２に示す作成ガイドの具体例を示す図である。
【００５６】
同図において、誘導情報作成の手順として「▲１▼まず、映像の構図と同じ方向を探すこと」、「▲２▼次に安全を確保できるように立ち位置を決めること」、「▲３▼立ち位置の周りで起点となるマーカ（目標物）を探すこと」、「▲４▼見つけたマーカから立ち位置までを表現する基準を探すこと」、「▲５▼次の空欄を『立ち位置は』『向く方向は』『で、見せる映像はいったい何？』について最も短い表現で埋めること」、「▲６▼（▲５▼の空欄を埋めた表現を）文章にまとめると」の６段階で示されている。コンテンツ作成者７は、実際に現場（風景に浸る場所）に赴いて、映像情報を見ながらこの具体例に示す手順で誘導情報を作成していく。
【００５７】
「▲１▼まず、映像の構図と同じ方向を探すこと」には、「探しづらいときには『枠』を使うとよい」と「両手の指で『枠』をつくってもよい」のアドバイスが書かれている。枠の具体例は図１４に示す。また両手の指でつくる枠とは、よくデッサンをするときにおや指とひとさし指を伸ばして上下に重ね合わせることで出来る長方形のことで、これらの枠を通して実際の風景を眺めるとその構図がわかりやすく、この枠の中に見える風景が映像情報と同じように見えるような方向を探す。おおよその方向が決まれば立ち位置が決めやすい。
【００５８】
「▲２▼次に安全を確保できるように立ち位置を決めること」には、立ち位置の決め方として「しばらくボーっとしても周囲のジャマにならない場所がよい」のアドバイスが書かれている。▲１▼で見つけた方向は，映像情報の対象物と今、立っている位置を結ぶ延長線上であれば、おおよそ維持される。その延長線上でなるべく映像情報の対象物を遮るような遮蔽物を避けながら、かつ周囲のジャマにならないような立ち位置を探す。具体的には何かの真中よりも端の方が通行者のジャマになりにくい。立ち位置を決めたら、立ち位置から見える風景の構図を再度確認するとよい。
【００５９】
「▲３▼立ち位置の周りで起点となるマーカ（目標物）を探すこと」には、「その立ち位置の周りで目立つものは何か？」のアドバイスが書かれている。マーカは目立つ、つまりわかりやすいことが第１であるが、第２の注意点としては立ち位置までの誘導がしやすいものが好ましい。この選び方が次の▲４▼に影響する。
【００６０】
「▲４▼見つけたマーカから立ち位置までを表現する基準を探すこと」には、「複数のマーカの相対位置を活用するとよい」と「マーカがひとつなら、立ち位置までの距離を歩測してもよい」のアドバイスが書かれている。複数のマーカの相対位置とは、マーカから立ち位置までが比較的遠い場合に有効であり、その半分やどちら側からその１／３などの言い回しで立ち位置を示すことが出来る。また、歩数を活用するのは、マーカから立ち位置までが比較的近い場合に有効であり、目安としては多くても２、３０歩程度の距離に用いる。
【００６１】
「▲５▼次の空欄を『立ち位置は』『向く方向は』『で、見せる映像はいったい何？』について最も短い表現で埋めること」には、「表現に迷ったときには事例を見るとよい」のアドバイスが書かれている。短い表現で適確に誘導情報を書き表わすことは実は難しいことであるが、図１５以降に示す事例を見ることでなんとなくではあるが、コツがわかってくる。場合によっては別のコンテンツ作成者７によって添削してみることも効果があり、比較的上手く書けているコンテンツ作成者７から、不慣れなコンテンツ作成者７へ指導をしてもよい。
【００６２】
「▲６▼（▲５▼の空欄を埋めた表現を）文章にまとめると」には、▲５▼と同様に「表現に迷ったときには事例を見るとよい」のアドバイスが書かれている。示す事例も、最終的に完成した後の誘導情報だけでなく、▲１▼〜▲６▼の各ステップに分けて順番にどう見つけてどう表現したかを書き表した感想を含めた記録的な事例であってもよい。
【００６３】
図１４は、図１３に示す「枠」の具体例を示す図である。
【００６４】
同図は、実際にコンテンツ作成者７が実行する行動の具体例を表現した図であるが、この図が風景情報提供システムサーバ５からコンテンツ作成者端末８に送信される作成ガイドの中に図解として示されてもよい。枠を通して実際の風景を眺め、映像情報と同じように見える構図を探すには、現場で実際に映像情報を見ながらの方が見つけやすいので、図例では携帯できるコンテンツ作成者端末８−１を用いている。
【００６５】
図１５は、本発明の実施形態における誘導情報と映像情報の具体例を示す図である。
【００６６】
同図は、再生映像がドラマの一シーンである場合の具体例を示す。同図（ａ）は、再生映像に付与された誘導情報として「１Ｆ正面入り口を入ったら、そのまま右手に見えるエスカレータとの中間点まで歩いていって、立ち止まる。エスカレータをほぼ正面に見据えて、」を、再生映像の内容として「（『準備が出来たら』の表示を挿んで）上下のエスカレータですれ違いざまにフレンチキスを交わす、あのシーンはここで撮影されたのだ。」を利用者端末４の表示画面に表示している。誘導情報のうち「右手に見えるエスカレータとの中間点」が立ち位置であり、「エスカレータをほぼ正面に見据えて」が向き情報である。「準備が出来たら」の表示に対応する入力を利用者３が入力操作することで、同図（ｂ）に示すように表示画面に再生映像としてドラマの一シーンが出力される。
【００６７】
図１６は、本発明の実施形態における誘導情報と映像情報の具体例を示す図である。
【００６８】
同図は、再生映像が映画の一シーンである場合の具体例を示す。同図（ａ）は、再生映像に付与された誘導情報として「アムトラック、ユニオン駅に着いたら、大理石の大広間に行ってみよう。左側の階段を上りきって、その左端から下を眺めてみる。」を、再生映像の内容として「（『準備が出来たら』の表示を挿んで）階段をカタン、カタンと乳母車が落ちていくさなかでの銃撃戦はまさにココで撮影されたのだ。」を利用者端末４の表示画面に表示している。誘導情報のうち「左側の階段を上りきって、その左端」が立ち位置であり、「下を眺めて」が向き情報である。「準備が出来たら」の表示に対応する入力を利用者３が入力操作することで、同図（ｂ）に示すように表示画面に再生映像として映画の一シーンが出力される。
【００６９】
図１７は、本発明の実施形態における誘導情報と映像情報の具体例を示す図である。
【００７０】
同図は、再生映像がＣＭ映像である場合の具体例を示す。同図（ａ）は、再生映像に付与された誘導情報として「国道脇にある看板からまっすぐに伸びる側道をポフラの木まで１／３程度のところまで歩く。２本のポプラの木をやや上方に見上げてみる。」を、再生映像の内容として「（『準備が出来たら』の表示を挿んで）これがあの有名な『ケンとメリーの木』だ。当時このＣＭに写る車はあこがれの車だったのだ。」を利用者端末４の表示画面に表示している。誘導情報のうち「国道脇にある看板からまっすぐに伸びる側道をポフラの木まで１／３程度のところ」が立ち位置であり、「２本のポプラの木をやや上方に見上げてみる」が向き情報である。「準備が出来たら」の表示に対応する入力を利用者３が入力操作することで、同図（ｂ）に示すように表示画面に再生映像としてＣＭ映像が出力される。
【００７１】
図１８は、本発明の実施形態における誘導情報と映像情報の具体例を示す図である。
【００７２】
同図は、再現映像が建物ＣＧである場合の具体例を示す。同図（ａ）は、再現映像に付与された誘導情報として「今は『池田屋跡』の石碑しか残っていないが、この石碑から右手に１０歩ほど移動したところで、建物をまっすぐに見据える。」を、再現映像の内容として「（『準備が出来たら』の表示を挿んで）ここに当時池田屋の入り口があった。この入り口から新撰組の近藤、土方、沖田らが切り込んで、あの池田屋事件が始まった。」を利用者端末４の表示画面に表示している。誘導情報のうち「この石碑から右手に１０歩ほど移動したところ」が立ち位置であり、「建物をまっすぐに見据える」が向き情報である。「準備が出来たら」の表示に対応する入力を利用者３が入力操作することで、同図（ｂ）に示すように表示画面に再生映像として池田屋事件当時の建物（池田屋）のＣＧが出力される。今は、そのなごりを推測するものがあとかたもなく、石碑だけがぽつんと残るだけの場所も多い。この具体例では、この石碑をマーカにしている。石碑からの歩数は実測する以外にも、当時の町並みの資料に基づいておおよその距離を算出して歩数換算してもよい。
【００７３】
図１９は、本発明の実施形態における誘導情報と映像情報の具体例を示す図である。
【００７４】
同図は、再現映像が風景ＣＧである場合の具体例を示す。同図（ａ）は、再現映像に付与された誘導情報として「今は途絶えることなく車が行き交う京都の朱雀大通り。この交差点の歩道の角から、通りを北に向かって眺めてみる。」を、再現映像の内容として「（『準備が出来たら』の表示を挿んで）あなたのすぐ目の前に当時の羅生門があった。羅生門からまっすぐ北に向かう朱雀大通りは御門のいる御所に至るのであった。」を利用者端末４の表示画面に表示している。誘導情報のうち「京都の朱雀大通り。この交差点の歩道の角」が立ち位置であり、「通りを北に向かって」が向き情報である。「準備が出来たら」の表示に対応する入力を利用者３が入力操作することで、同図（ｂ）に示すように表示画面に再生映像として平安京の町並み（羅生門から北を眺める風景）ＣＧが出力される。
【００７５】
図２０は、本発明の実施形態における誘導情報と映像情報の具体例を示す図である。
【００７６】
同図は、再現映像が再現実写映像である場合の具体例を示す。同図（ａ）は、再現映像に付与された誘導情報として「元本能寺町の今は更地の小学校跡にかつて本能寺があった。この広場の真中に立ち、まず周囲をぐるりと見渡してみよう。」を、再現映像の内容として「（『準備が出来たら』の表示を挿んで）燃え盛る劫火の中から、もし信長が生き延びたとしたら、どんな世になっていたのだろうか。」を利用者端末４の表示画面に表示している。誘導情報のうち「この広場の真中に立ち」が立ち位置であり、「まず周囲をぐるりと見渡してみよう」が向き情報である。「準備が出来たら」の表示に対応する入力を利用者３が入力操作することで、同図（ｂ）に示すように表示画面に再生映像として本能寺の変を再現した実写映像が出力される。この辺りに「あった」場合は、正確な位置や建物の配置、間取りがわからないことも多い。このような場合には、立ち位置情報と向き情報で「この辺りにあった」ことを示すことが大切であり、今は無き面影に想いを馳せながら風景に浸ることが出来る。
【００７７】
図２１は、本発明の実施形態における誘導情報と映像情報の具体例を示す図である。
【００７８】
同図は、再現映像が再現実写映像である場合の具体例を示す。同図（ａ）は、再現映像に付与された誘導情報として「小高い笹尾山の山頂に登ってみる。ここに石田三成の陣があった。ここから関ヶ原盆地の中央を眺めてみる。」を、再現映像の内容として「（『準備が出来たら』の表示を挿んで）深い霧を切り裂くように天下分け目の関ヶ原が始まった・・・。」を利用者端末４の表示画面に表示している。誘導情報のうち「小高い笹尾山の山頂」が立ち位置であり、「ここから関ヶ原盆地の中央を眺めてみる。」が向き情報である。「準備が出来たら」の表示に対応する入力を利用者３が入力操作することで、同図（ｂ）及び（ｃ）に示すように表示画面に再生映像として笹尾山から関ヶ原盆地を眺めた実風景に当時の軍勢の様子をＣＧまたはアニメーションのアイコンで再現した再現映像が出力される。同図（ｂ）は、合戦が始まった当初の様子であり、説明文として「朝８時前、福島正則の軍と宇喜多秀家の軍が衝突した。」が表示されている。ここで「次へ」の表示に対応する入力を利用者３が入力操作することで、同図（ｃ）に切り替わる。同図（ｃ）は、次に戦局が動いた様子であり、説明文として「朝８時過ぎ、三成の陣に黒田長政の軍が襲い掛かる！三成、どーなってしまうのか！」が表示されている。このように、多くの人が集い、競う様子は壮大な絵巻のようでもあり、生々しい斬り合いよりも、陣形図の動きで大きく人の塊が動く様を眺めることで、今は無き抒情詩的風景に想いを馳せながら風景に浸ることが出来る。
【００７９】
図２２は、本発明の実施形態における誘導情報と映像情報の具体例を示す図である。
【００８０】
同図は、風景に浸る場所に利用者３を導くルート情報を誘導情報に含む場合の具体例を示す。同図（ａ）は、図１６に示す誘導情報が「アムトラック、ユニオン駅に着いて列車を降りたら、ホーム先の自動ドアをくぐり、右手の方へそのまま歩いていく。しばらくすると、ふいに大理石の大広間に出る。２つの大きな階段が見えるだろう。左側の階段を上りきって、その左端から下を眺めてみる。」に置き換わっている。風景に浸る場所である駅構内の大理石の大広間がややわかりにくい場所であることに配慮して、アムトラックで駅に着いたところを起点として利用者３を風景に浸る場所となる大理石の大広間までを「アムトラック、ユニオン駅に着いて列車を降りたら、ホーム先の自動ドアをくぐり、右手の方へそのまま歩いていく。しばらくすると、ふいに大理石の大広間に出る。」と示すルート情報で誘導している。
【００８１】
図２３は、本発明の実施形態における誘導情報が風景を眺めるに際してどれだけ重要であるかを説明する実際の風景の具体例である。
【００８２】
同図は、図２４と対比することによって本発明の実施形態における誘導情報の有効性を説明する。同図において、利用者端末４の表示画面に「石段を６段のぼって、右端にしゃがみ、階段を見上げてみる」と表示された誘導情報に従って、再生映像の構図と同じ構図で見た風景の具体例を示す。
【００８３】
図２４は、本発明の実施形態における誘導情報が風景を眺めるに際してどれだけ重要であるかを説明する実際の風景の具体例である。
【００８４】
同図は、図２３と対比することによって本発明の実施形態における誘導情報の有効性を説明する。同図において、誘導情報を参照せずに立ち位置と向きが異なったために再生映像の構図と違う構図で見てしまった風景の具体例を示す。
【００８５】
【発明の効果】
以上記載の本発明によれば、「いつか見た風景」としてかつてその場所で撮影した映像を再生した再生映像情報、または「かつてそこにあった風景」としてかつてその場所にあった（あったであろう）風景を再現した再生映像情報を利用者端末で受信した利用者は、誘導情報によって、利用者端末に出力される再生・再現映像の構図と同じ構図で目の前の風景を見ることが出来るので、何かしっくりこないような違和感なく、風景に浸ることが出来る。より具体的には、再生映像とともに再生映像と同じ構図で風景を眺めた利用者は「あー、これ、これ、これなんだよ。いつか見たのは」などの実感を感じることができ、同様に再現映像とともに再現映像と同じ構図で風景を眺めた利用者は「あー、ここにかつてこんなものがあったのかぁ（こんなことがあったのかぁ）」などの実感を感じることが出来る。このように感じる実感によって、利用者は目の前の風景とその雰囲気にうまく浸ることができ、想いをめぐらすひとときを得ることが出来る。
【００８６】
また、いわゆる観光地にとって「そこ」での風景は、言わば「そこ」にしかない、かけがいのない財産でもある。よって、人々を「そこ」に導いてその風景に浸らせることが出来て初めて、その風景を財産として活用することが出来るにも関わらず、観光地はこれまでその風景を十分に活かしきれているとは言えなかった。本発明によれば、利用者を風景に浸らせることが出来る映像情報は、「そこ」にしかない風景を活用するためのものであり、風景を活用するための映像情報もまた「そこ」での財産になっていくのである。
【００８７】
例えば、メディアでの露出が多い東京、大阪、京都などは「いつか見た風景」として、露出が多ければ多いほど活用しやすい。また、例えば、いわれやゆかりが多い京都、奈良、江戸（東京）などは「かつてあった風景」として、いわれやゆかりがあればあるほど活用しやすい。
【図面の簡単な説明】
【図１】本発明の実施形態におけるコンセプトを説明するブロック図
【図２】本発明の実施形態におけるシステム全体図を説明するブロック図
【図３】本発明の実施形態における風景情報提供システムサーバのハードブロック図
【図４】本発明の実施形態における利用者端末のハードブロック図
【図５】本発明の実施形態におけるコンテンツ作成者端末のハードブロック図
【図６】本発明の実施形態における風景情報提供システムサーバ及び作業者端末の機能ブロック図
【図７】本発明の実施形態における利用者端末及び風景情報提供システムサーバのブロック図
【図８】本発明の実施形態における利用者端末のブロック図
【図９】本発明の実施形態における風景情報提供システムサーバ及び作業者端末の演算部におけるフローチャート
【図１０】本発明の実施形態における利用者端末及び風景情報提供システムサーバの演算部におけるフロ−チャート
【図１１】本発明の実施形態における利用者端末の演算部におけるフローチャート
【図１２】本発明の実施形態におけるコンテンツ作成者が行う作業を説明するブロック図
【図１３】図１２に示す作成ガイドの具体例を示す図
【図１４】図１３に示す「枠」の具体例を示す図
【図１５】本発明の実施形態における誘導情報と映像情報の具体例を示す図
【図１６】本発明の実施形態における誘導情報と映像情報の具体例を示す図
【図１７】本発明の実施形態における誘導情報と映像情報の具体例を示す図
【図１８】本発明の実施形態における誘導情報と映像情報の具体例を示す図
【図１９】本発明の実施形態における誘導情報と映像情報の具体例を示す図
【図２０】本発明の実施形態における誘導情報と映像情報の具体例を示す図
【図２１】本発明の実施形態における誘導情報と映像情報の具体例を示す図
【図２２】本発明の実施形態における誘導情報と映像情報の具体例を示す図
【図２３】本発明の実施形態における誘導情報が風景を眺めるに際してどれだけ重要であるかを説明する実際の風景の具体例
【図２４】本発明の実施形態における誘導情報が風景を眺めるに際してどれだけ重要であるかを説明する実際の風景の具体例
【符号の説明】
２　風景情報ＤＢ
３　利用者
４　利用者端末
５　風景情報提供システムサーバ
６　ネットワーク
７　コンテンツ作成者
８　コンテンツ作成者端末
【図１】
2004070782.tif 000003
【図２】
2004070782.tif 000004
【図３】
2004070782.tif 000005
【図４】
2004070782.tif 000006
【図５】
2004070782.tif 000007
【図６】
2004070782.tif 000008
【図７】
2004070782.tif 000009
【図８】
2004070782.tif 000010
【図９】
2004070782.tif 000011
【図１０】
2004070782.tif 000012
【図１１】
2004070782.tif 000013
【図１２】
2004070782.tif 000014
【図１３】
2004070782.tif 000015
【図１４】
2004070782.tif 000016
【図１５】
2004070782.tif 000017
【図１６】
2004070782.tif 000018
【図１７】
2004070782.tif 000019
【図１８】
2004070782.tif 000020
【図１９】
2004070782.tif 000021
【図２０】
2004070782.tif 000022
【図２１】
2004070782.tif 000023
【図２２】
2004070782.tif 000024
【図２３】
2004070782.tif 000025
【図２４】
2004070782.tif 000026